(57)【要約】【課題】売上金額と入金金額が一致しない場合でもユーザが効率的に消込を行うことが可能な消込処理装置、消込処理方法、及び消込処理プログラムを提供すること。【解決手段】本実施の形態に係る消込処理装置は、売上伝票番号と先方伝票番号が一致し、かつ、売上金額と入金金額が異なる部分一致の売上データを所定の条件で抽出して表示手段の画面の第１の表示領域に表示する部分一致抽出手段と、ユーザ操作に応じて、前記第１の表示領域に表示される前記部分一致の売上データから消込対象を選択する選択手段と、前記選択手段で選択された売上データに対して消込を実行する消込手段と、を備えている。【選択図】図３
2018169904.tif 000002
【特許請求の範囲】
【請求項１】
制御部を備えた消込処理装置であって、
前記制御部は、
売上伝票番号と先方伝票番号が一致し、かつ、売上金額と入金金額が異なる部分一致の売上データを所定の条件で抽出して表示手段の画面の第１の表示領域に表示する部分一致抽出手段と、
ユーザ操作に応じて、前記第１の表示領域に表示される前記部分一致の売上データから消込対象を選択する選択手段と、
前記選択手段で選択された売上データに対して消込を実行する消込手段と、
を備えたことを特徴とする消込処理装置。
【請求項２】
さらに、売上伝票番号と先方伝票番号が一致し、かつ、売上金額と入金金額が同じであり完全一致の売上データと、前記部分一致の売上データを前記表示手段の画面の第２の表示領域に表示する抽出手段を備え、
前記部分一致抽出手段は、前記第２の表示領域に表示される前記部分一致の売上データを前記所定の条件で抽出して前記第１の表示領域に表示し、
前記消込手段は、前記第２の表示領域に表示される前記完全一致の売上データに対して消込を実行することを特徴とする請求項１に記載の消込処理装置。
【請求項３】
前記消込手段は、前記表示手段の画面に今回消込額と未消込額を表示することを特徴とする請求項１又は請求項２に記載の消込処理装置。
【請求項４】
前記抽出手段は、店舗毎に、前記完全一致及び前記部分一致の売上データを抽出して前記表示手段の画面の前記第２の表示領域に表示することを特徴とする請求項２に記載の消込処理装置。
【請求項５】
制御部を備えた情報処理装置で実行される消込処理方法であって、
前記制御部で実行される、
売上伝票番号と先方伝票番号が一致し、かつ、売上金額と入金金額が異なる部分一致の売上データを所定の条件で抽出して表示手段の画面の第１の表示領域に表示する部分一致抽出ステップと、
前記第１の表示領域に表示される前記部分一致の売上データから消込対象を選択する選択ステップと、
前記選択ステップで選択された売上データに対して消込を実行する消込ステップと、
を含むことを特徴とする消込処理方法。
【請求項６】
制御部を備えた情報処理装置に実行させるための消込処理プログラムであって、
前記制御部において、
売上伝票番号と先方伝票番号が一致し、かつ、売上金額と入金金額が異なる部分一致の売上データを所定の条件で抽出して表示手段の画面の第１の表示領域に表示する部分一致抽出ステップと、
前記第１の表示領域に表示される前記部分一致の売上データから消込対象を選択する選択ステップと、
前記選択ステップで選択された売上データに対して消込を実行する消込ステップと、
を実行させるための消込処理プログラム。  
【発明の詳細な説明】
【技術分野】
【０００１】
本発明は、消込処理装置、消込処理方法、及び消込処理プログラムに関する。  
【背景技術】
【０００２】
従来、例えば、消込を行う消込処理システムとして特許文献１がある。かかる特許文献１の消込処理システムでは、消込処理システム２０の制御部２１は、入金データ記憶部３４、請求データ記憶部３３に記録されたレコードを用いてパターン展開を行なう。そして、制御部２１は、生成したパターンをパターンメモリ２３に格納した場合、パターンメモリ２３の容量以下かどうかを確認する。メモリ容量を超える場合にはパターン展開処理を終了し、パターンメモリ２３に格納した合算パターンを、金額を用いてソートする。制御部２１は、パターンメモリ２３に記録した各合算パターンの金額と、消込相手のレコードの金額とを比較することにより、マッチングを行なう。そして、消し込みができた場合には消込コードを含む消込フラグを記録する。
【先行技術文献】
【特許文献】
【０００３】
【特許文献１】特開２００７−２６５３３２号公報
【発明の概要】
【発明が解決しようとする課題】
【０００４】
しかしながら、上記特許文献１では、売上金額と入金金額が一致しない場合の消込について何等考慮されていない。
【０００５】
本発明は、上記に鑑みてなされたものであって、売上金額と入金金額が一致しない場合でもユーザが効率的に消込を行うことが可能な消込処理装置、消込処理方法、及び消込処理プログラムを提供することを目的とする。
【課題を解決するための手段】
【０００６】
上述した課題を解決し、目的を達成するために、制御部を備えた消込処理装置であって、前記制御部は、売上伝票番号と先方伝票番号が一致し、かつ、売上金額と入金金額が異なる部分一致の売上データを所定の条件で抽出して表示手段の画面の第１の表示領域に表示する部分一致抽出手段と、前記第１の表示領域に表示される前記部分一致の売上データから消込対象を選択する選択手段と、前記選択手段で選択された売上データに対して消込を実行する消込手段と、を備えたことを特徴とする。
【０００７】
また、本発明の好ましい態様によれば、さらに、売上伝票番号と先方伝票番号が一致し、かつ、売上金額と入金金額が同じであり完全一致の売上データと、前記部分一致の売上データを前記表示手段の画面の第２の表示領域に表示する抽出手段を備え、前記部分一致抽出手段は、前記第２の表示領域に表示される前記部分一致の売上データを前記所定の条件で抽出して前記第１の表示領域に表示し、前記消込手段は、前記第２の表示領域に表示される前記完全一致の売上データに対して消込を実行することが望ましい。
【０００８】
また、本発明の好ましい態様によれば、前記消込手段は、前記表示手段の画面に消込額と未消込額を表示することが望ましい。
【０００９】
また、本発明の好ましい態様によれば、前記抽出手段は、店舗毎に、前記完全一致及び前記部分一致の売上データを抽出して前記表示手段の画面の前記第２の表示領域に表示することが望ましい。
【００１０】
また、上述した課題を解決し、目的を達成するために、本発明は、制御部を備えた情報処理装置で実行される消込処理方法であって、前記制御部で実行される、売上伝票番号と先方伝票番号が一致し、かつ、売上金額と入金金額が異なる部分一致の売上データを所定の条件で抽出して表示手段の画面の第１の表示領域に表示する部分一致抽出ステップと、
前記第１の表示領域に表示される前記部分一致の売上データから消込対象を選択する選択ステップと、前記選択ステップで選択された売上データに対して消込を実行する消込ステップと、を含むことを特徴とする。
【００１１】
また、上述した課題を解決し、目的を達成するために、本発明は、制御部を備えた情報処理装置に実行させるための消込処理プログラムであって、前記制御部において、売上伝票番号と先方伝票番号が一致し、かつ、売上金額と入金金額が異なる部分一致の売上データを所定の条件で抽出して表示手段の画面の第１の表示領域に表示する部分一致抽出ステップと、前記第１の表示領域に表示される前記部分一致の売上データから消込対象を選択する選択ステップと、前記選択ステップで選択された売上データに対して消込を実行する消込ステップと、を実行させるための消込処理プログラムである。
【発明の効果】
【００１２】
本発明によれば、売上金額と入金金額が一致しない場合でもユーザが効率的に消込を行うことが可能となるという効果を奏する。
【図面の簡単な説明】
【００１３】
【図１】図１は、本実施の形態の概要を説明するための説明図である。
【図２】図２は、本実施の形態の概要を説明するための説明図である。
【図３】図３は、本実施の形態に係る消込処理装置の構成の一例を示すブロック図である。
【図４】図４は、本実施の形態に係る消込処理装置の全体の処理の概略を説明するためのフローチャートである。
【図５】図５は、本実施の形態に係る処理の具体例を説明するためのサンプルデータを示す図である。
【図６】図６は、本実施の形態に係る処理の具体例を説明するためのサンプルデータを示す図である。
【図７】図７は、本実施の形態に係る処理の具体例を説明するためのサンプルデータを示す図である。
【図８】図８は、本実施の形態に係る処理の具体例を説明するためのサンプルデータを示す図である。
【図９】図９は、本実施の形態に係る処理の具体例を説明するためのサンプルデータを示す図である。
【図１０】図１０は、本実施の形態に係る処理の具体例を説明するためのサンプルデータを示す図である。
【図１１】図１１は、本実施の形態に係る処理の具体例を説明するためのサンプルデータを示す図である。
【図１２】図１２は、本実施の形態に係る処理の具体例を説明するためのサンプルデータを示す図である。
【発明を実施するための形態】
【００１４】
以下に、本発明に係る消込処理装置、消込処理方法、及び消込処理プログラムの実施の形態を、図面に基づいて詳細に説明する。なお、本実施形態によりこの発明が限定されるものではない。
【００１５】
[１．概要］
図１及び図２を参照して、本実施の形態の概要を説明する。図１及び図２は、本実施の形態の概要を説明するための表示例を示す図である。
【００１６】
売掛金や買掛金など債権・債務の勘定科目の残高を消していく作業を「消込」という。
「消込」により、例えば、売掛金の入金があった場合、支払明細と照らし合わせながら入金されているデータを消していくことで、売掛金が請求通りに回収できているか、残りの売掛金がデータ上と実際の入金でズレていないか、回収の遅れが出ていないかを把握することができる。
【００１７】
しかしながら、例えば、従来は、売上データの計上順に並んだ大量の消込対象から消込対象の得意先（店舗）や売上伝票番号を大量の候補の中から目検で抽出する必要があった。そのため、消込業務に人的コストが発生しており、ミスが発生し易い状況であった。
【００１８】
より具体的には、（１）小売・卸業では、多数の自社店舗（得意先）で計上された伝票に対して１つの請求先から入金があるというケースが多くある（カード決済・代引運用など）。（２）特に代引の場合、入金対象の請求先に得意先が複数紐付く、かつ、売上伝票毎に把握する必要があるため、売上計上から入金（回収）、消込対象の伝票を把握するのに、煩雑な業務を行っている。（３）店舗単位での合計金額が把握できる形での入金データが請求先より送られてくることが多いため、経理では消込金額を確認し、消込対象を把握するという業務がある。（４）請求先から売上日・先方伝票番号・伝票金額で送付されてくるため消込対象の得意先・自社の売上伝票番号・売上金額の把握をしている。
【００１９】
（５）本実施の形態では、（３）で把握した情報と、請求先から送付される、店舗（得意先）毎の合計金額を確認しながら該当伝票を抽出することで消込業務をスムーズに行えるようにする。
【００２０】
本実施の形態では、請求先からの入金データ（先方伝票番号、売上日、店舗（得意先）、入金金額）を取り込み、売上データ（売上（自社）伝票番号、店舗（得意先）、売上日、売上金額）と入金データを照会し、店舗毎に、消込対象の売上データを抽出して、消込処理を実行する（例えば、１つの入金に対して、店舗毎に抽出して消込を繰り返し実行する）。この場合、本実施の形態では、ユーザの消込操作が効率的になるように、店舗毎に、完全一致（（売上伝票番号と先方伝票番号が一致し、かつ、売上金額と入金金額が一致する場合）及び部分一致（売上伝票番号と先方伝票番号が一致し、かつ、売上金額と入金金額が異なる場合）の売上データを抽出して、画面の第２の表示領域に表示する。本実施の形態では、完全一致の売上データについては消込を実行する。
【００２１】
つづいて、本実施の形態では、第２の表示領域に表示される部分一致の売上データを所定の条件で抽出して、第１の表示領域に表示する。そして、本実施の形態では、第１の表示領域に表示される部分一致の売上データのうち、消込対象をユーザに選択させ、ユーザによって選択された部分一致の売上データに対して消込を行う。このように、本実施の形態では、ユーザの消込操作をＵＩで補助することで、ユーザが消込を効率的に実行できるようにしている。
【００２２】
本実施の形態では、例えば、図１に示すように、店舗毎に、完全一致と部分一致の売上データを第２の表示領域４０１に表示する。図１に示す例では、第２の表示領域４０１に加藤複数店舗の３件の売上データ（伝票番号Ａ０１Ｚ０００００１１０、Ａ０１Ｚ０００００１１１，Ａ０１Ｚ０００００１１２）が表示されている。本実施の形態では、完全一致の売上データについては初期チェックを行い、消込を実行する。
【００２３】
さらに、本実施の形態では、第２の表示領域４０１に表示した部分一致の売上データを所定の条件で抽出して第１の表示領域４０２に表示する。図２に示す例では、第１の表示領域４０２に加藤複数店舗の２件の売上データ（伝票番号Ａ０１Ｚ０００００１１０、Ａ０１Ｚ０００００１１２）が表示されている。本実施の形態では、第１の表示領域４０２でユーザが選択した部分一致の売上データについて消込を実行する。
【００２４】
以下、具体的な構成及び動作について説明する。
【００２５】
［２．構成］
本実施形態に係る消込処理装置１００の構成について、図３を参照して説明する。図３は、消込処理装置１００の構成の一例を示すブロック図である。
【００２６】
消込処理装置１００は、市販のデスクトップ型パーソナルコンピュータである。なお、消込処理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００２７】
消込処理装置１００は、図３に示すように、制御部１０２と通信インターフェース部１０４と記憶部１０６と入出力インターフェース部１０８と、を備えている。消込処理装置１００が備えている各部は、任意の通信路を介して通信可能に接続されている。
【００２８】
通信インターフェース部１０４は、ルータ等の通信装置及び専用線等の有線又は無線の通信回線を介して、消込処理装置１００をネットワーク３００に通信可能に接続する。通信インターフェース部１０４は、他の装置と通信回線を介してデータを通信する機能を有する。ここで、ネットワーク３００は、消込処理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。  
【００２９】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４とし、入力装置１１２をキーボード１１２又はマウス１１２として記載する場合がある。また、ユーザがモニタ１１４に表示して、入力装置１１２で操作等をすることを、「ＵＩを介したユーザ操作」と記載する場合がある。
【００３０】
記憶部１０６には、各種のデータベース、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。  
【００３１】
記憶部１０６は、売上データファイル１０６ａと、入金データファイル１０６ｂと、消込データファイル１０６ｃとを備えている。
【００３２】
売上データファイル１０６ａは、売上データ（自社伝票番号、得意先、売上日、売上金額等）を格納するためのファイルである。制御部１０２は、売上データファイル１０６ａに売上データを格納する。
【００３３】
入金データファイル１０６ｂは、請求先からの入金データ（先方伝票番号、売上日、得意先（店舗）、入金金額）を格納するためのファイルである。制御部１０２は、例えば、通信インターフェース部１０４を介して、請求先の端末装置等から入金データを受信して入金データファイル１０６ｂに格納する。
【００３４】
消込データファイル１０６ｃは、消込処理後のデータを格納するためのファイルである。制御部１０２は、消込処理後のデータを消込データファイル１０６ｃに格納する。
【００３５】
制御部１０２は、消込処理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、抽出部１０２ａと、部分一致抽出部１０２ｂと、選択部１０２ｃと、消込処理部１０２ｄとを備えている。
【００３６】
抽出部１０２ａは、例えば、店舗（得意先）毎に、売上データファイル１０６ａに格納されている売上データと入金データファイル１０６ｂに格納されている入金データの照合を行い、売上伝票番号と先方伝票番号が一致し、かつ、売上金額と入金金額が一致（以下「完全一致」と称する）する売上データ、並びに、売上伝票番号と先方伝票番号が一致し、かつ、売上金額と入金金額が異なる（以下「部分一致」と称する）売上データを抽出して、モニタ１１４の画面の第２の表示領域（例えば、図９の領域５０４参照）に表示する。
【００３７】
部分一致抽出部１０２ｂは、第２の表示領域に表示される部分一致の売上データを所定の条件で抽出してモニタ１１４の画面の第１の表示領域（例えば、図９の領域５０５参照）に表示する。
【００３８】
選択部１０３ｃは、ユーザ操作に応じて、第１の表示領域に表示される部分一致の売上データから消込対象を選択する。
【００３９】
消込処理部１０３ｄは、第２の表示領域に表示される完全一致の売上データに対して消込を行い、また、選択部１０３ｃにより第１の表示領域で選択された部分一致の売上データに対して消込を行う。消込処理部１０３ｄは、モニタ１１４の画面に今回消込額（例えば、図９の領域５１０，５０６参照）と未消込額（例えば、図９の領域５０７，５０８参照）を表示することにしてもよい。
【００４０】
［３．処理の具体例］
本実施形態に係る処理の具体例について、図３〜図１２を参照して詳細に説明する。図４〜図１２は、本実施形態に係る処理の具体例を説明するための図である。
【００４１】
まず、本実施の形態の消込処理装置１００の全体の処理の概略を説明する。図４は、本実施の形態の消込処理装置１００の全体の処理の概略を説明するためのフローチャートである。
【００４２】
図４において、抽出部１０２ａは、得意先（店舗）毎に、売上データファイル１０６ａに格納されている売上データと入金データファイル１０６ｂに格納されている入金データの照合を行い、完全一致及び部分一致の売上データを抽出して、モニタ１１４の画面の第２の表示領域（例えば、図９の領域５０４参照）に表示する（ステップＳ１）。
【００４３】
消込処理部１０３ｄは、第２の表示領域に表示される完全一致の売上データ及び入金データに対して消込を行う（ステップＳ２）。
【００４４】
部分一致表示部１０３ｂは、ＵＩを介したユーザ操作に応じて、第２の表示領域に表示されている部分一致の売上データを所定の条件で抽出して第１の表示領域（例えば、図９の領域５０５参照）に表示する（ステップＳ３）。
【００４５】
選択部１０３ｃは、ＵＩを介したユーザ操作に応じて、第１の表示領域に表示される部分一致の売上データから消込対象を選択する（ステップＳ４）。
【００４６】
消込処理部１０３ｄは、選択部１０３ｃで選択された部分一致の売上データに対して消込を行う（ステップＳ５）。
【００４７】
本実施の形態の消込処理装置１００の具体例を図５〜図１２のサンプルデータを参照して説明する。図５〜図１２は、サンプルデータを示す図である。制御部１０２は、図６〜図１２に示す画面をモニタ１１４に表示し、入力装置１１２を介したユーザ操作に応答して、消込を含む各種処理を行う。
【００４８】
図５は、消込処理パターンを説明するための図である。図５は、消込処理パターン、入金−照会番号（先方伝票番号）、入金額、売上額、売上−照合番号（売上伝票番号）、照合番号の一致（〇、×）、差額金額（＝入金額−売上金額）、照合結果、及び入金入力制御を示している。
【００４９】
（１）は、完全消込パターンであり、入金−照会番号（先方伝票番号）及び入金金額と、売上−照会番号（売上伝票番号）と売上金額が完全に一致する場合は、入力入金画面で消込チェックの初期表示を行って消込を行う。（２）は、部分消込（入金が少ない）パターンであり、入金−照会番号と売上−照会番号が一致し、入金金額が売上金額より少ない一部一致の場合であり、入金入力画面で「要確認」を表示する。（３）は、部分消込（入金が多い）パターンであり、入金−照会番号と売上−照会番号が一致し、入金金額が売上金額より多い一部一致の場合であり、入金入力画面で「要確認」を表示する。
【００５０】
（４）−１、（４）−２は、同じ伝票番号で重複して入金した部分消込パターンであり、入金入力画面で「要確認」を表示する。（４）−１の部分消込パターンでは、（４）−２で一部返品し、（４）−２の部分消込パターンでは、（４）−１の一部返品を行う。同図に示す例では（４）−１の売上額を「￥１０，０００」とし、（４）−２の売上額を「￥−１，０００」とする。（５）は、入金がなかったパターンであり、入金入力画面で消込チェックを行わない。（６）は、消込対象がないパターンであり、入金入力画面で処理を行わない。
【００５１】
図６は、制御部１０２により表示される、図５に対応する入金確認照会画面の一例示している。図６に示す例では、基準日「２０１８／８／１０」、売上日「２０１６／７／１〜１０１６／７／３１」、入金日「２０１６／８／１０」、事業所「東京事業所」、差額「有り」、請求先コード「９００００（代引き請求）」の場合を示している。領域５０１には、図５の消込処理パターン（１）〜（５）に対応するデータが表示されており、売上日、照合番号、売上番号、請求先、請求先名、得意先コード、得意先名、入金額、売上額、差額の各項目のデータが表示されている。
【００５２】
図７は、制御部１０２により表示される入金入力画面の一例を示している。図７に示す例では、事業所「Ａ１００」東京本社、入金日「２０１６／０８／１０」、入金日「２０１６／９／１０」、入金請求先「９０９０００」代引請求先の場合を示している。図７において、入金消込単位が「自動」、「請求単位」、「伝票単位」、「明細単位」で設定可能となっており、同図に示す例では、「伝票単位」が選択されている。領域５０２において、例えば、ユーザは、（１）入金総額１９，０００円を入力する。これは、図５の消込処理パターン（１）と（４）−１、（４）−２の消込を行うためのものである。
【００５３】
領域５０３に、（２）消込対象の請求データ（請求先、締日毎）を表示して、消込作業を実施する。同図に示す例では、請求番号「ＳＱ００００００２」、請求先「９００００」代引請求先、回収予定「２０１６／０８／１０」、請求金額「￥３８，０００」が表示されている。
【００５４】
図８は、制御部１０２により表示される入金入力・入金消込画面の一例を示している。図８において、領域５０４（第２の表示領域）には、抽出部１０２ａにより、入金＿照合番号と売上＿照合番号、売上金額と入金金額が合致したもの（完全一致）と入金＿照合番号と売上＿照合番号が一致して、売上金額と入金金額が合致していないもの（部分一致）の売上データが抽出されて表示される。図８に示す例では、領域５０４には、売上番号、売上金額、消込対象のチェックボックス□、消込金額、確認ステータス（要確認）が表示されている。消込処理部１０２ｄは、（３）入金＿照合番号と売上＿照合番号、売上金額と入金金額が合致したものに対しては、消込対象のチェックボックス□を自動的にチェックして、さらに、消込金額を自動でセットして、消込を行う。図８に示す例では、消込処理パターン（１）の売上番号００００００１、売上金額「￥１０，０００」については、入金＿照合番号と売上＿照合番号、売上金額と入金金額が合致しているので、消込対象のチェックボックス□がチェックされ、消込金額「￥１０，０００」がセットされる。
【００５５】
抽出部１０２ａは、（４）入金＿照合番号と売上＿照合番号が一致して、売上金額と入金金額が合致していないものについては、要確認の確認ステータスを表示する。同図に示す例では、入金＿照合番号と売上＿照合番号が一致して、売上金額と入金金額が合致していない売上番号００００００２〜００００００５については、要確認が表示されている。
【００５６】
領域５１０、５０６には、消込処理部１０２ｄにより「今回消込額」が表示され、図７に示す例では、「￥１０，０００」が表示されている。領域５０７には、消込処理部１０２ｄにより、入金金額に対する「未消込額」が表示される。図８に示す例では、入金金額は￥１９，０００であり、消込額は￥１０，０００であるので、「￥９，０００」が表示される。これにより、（５）ユーザは、残り幾らで消込可能かを確認することができる。
【００５７】
部分一致抽出部１０２ｂは、領域５０５（第１の表示領域）に、領域５０４で表示されたデータを、確認ステータスや得意先コード（所定の条件）で抽出して表示可能であり、得意先や売上日の昇順・降順で並び替えが可能である。これらの条件は、ユーザが抽出条件設定６０１で設定することができる。部分一致抽出部１０２ｂは、ユーザにより抽出ボタン７０１が押下されると、例えば、図９に示すように、領域５０５に抽出したデータを表示する。同図に示す例では、確認ステータス「要確認」、得意先「昇順」、売上日「昇順」にデータが表示されている。
【００５８】
次に、図１０に示すように、領域５０５において、ユーザは、（８）消込を反映させたい明細に消込対象のチェックボックス□をチェックする。これに応じて、消込処理部１０２ｄは、消込金額を表示する。図１０に示す例では、ユーザにより、売上番号００００００４，００００００５がチェックされ、消込金額￥１０，０００、￥−１，０００が表示される。また、消込処理部１０２ｄは、（９）領域５０８に、今回消込額を表示する。図１０に示す例では、￥９，０００が表示される。（１０）ユーザは、領域５０７の未消込額と領域５０８の今回消込額を確認し、消込漏れを確認すること可能である。
【００５９】
ユーザにより消込反映ボタン７０２が押下されると、消込処理部１０２ｄは、図１１に示すように、（１２）領域５０４に消込情報を反映すると共に、領域５１０、５０６の今回消込額、領域５０７の未消込額に反映させる。図１１に示す例では、領域５０４において、売上番号００００００４、００００００５の消込対象のチェックボックスが自動でチェックされ、消込金額「￥１０，０００」、「￥−１，０００」が表示され、領域５１０，５０６の今回消込額が「１９，０００」、領域５０７の未消込額「￥０」が表示される。
【００６０】
図１２は、図１１の変形例を示す図である。図１２において、要確認（部分一致と判断される伝票）で消込がされている伝票については、領域５０４では、「確認済み」を表示してもよい。同図に示す例では、売上番号００００００４、００００００５について、確認ステータス「確認済み」が表示されている。
【００６１】
以上説明したように、本実施の形態によれば、売上伝票番号と先方伝票番号が一致し、かつ、売上金額と入金金額が異なる部分一致の売上データを所定の条件で抽出してモニタ１１４の画面の第１の表示領域に表示する部分一致抽出部１０２ｂと、ユーザ操作に応じて、第１の表示領域に表示される部分一致の売上データから消込対象を選択する選択部１０２ｃと、選択部１０２ｃで選択された売上データに対して消込を実行する消込処理部１０２ｄと、を備えているので、売上金額と入金金額が一致しない場合でもユーザが効率的に消込を行うことが可能となる。
【００６２】
また、本実施の形態によれば、さらに、売上伝票番号と先方伝票番号が一致し、かつ、売上金額と入金金額が同じである完全一致の売上データと、前記部分一致の売上データを前記表示手段の画面の第２の表示領域に表示する抽出部１０２ａを備え、部分一致抽出部１０２ｂは、第２の表示領域に表示される部分一致の売上データを所定の条件で抽出して第１の表示領域に表示し、消込処理部１０２ｄは、第２の表示領域に表示される完全一致の売上データに対して消込を実行することとしたので、完全一致と部分一致の売上データに対してユーザは効率的に消込操作を行うことが可能となる。
【００６３】
また、消込処理部１０２ｄは、モニタ１１４の画面に今回消込額と未消込額を表示することとしたので、ユーザは、残り幾らで消込可能かを確認することが可能になる。
【００６４】
［４．他の実施形態］
本発明は、上述した実施形態以外にも、特許請求の範囲に記載した技術的思想の範囲内において種々の異なる実施形態にて実施されてよいものである。  
【００６５】
例えば、実施形態において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。  
【００６６】
また、本明細書中や図面中で示した処理手順、制御手順、具体的名称、各処理の登録データや検索条件等のパラメータを含む情報、画面例、データベース構成については、特記する場合を除いて任意に変更することができる。
【００６７】
また、消込処理装置１００に関して、図示の各構成要素は機能概念的なものであり、必ずしも物理的に図示の如く構成されていることを要しない。  
【００６８】
例えば、消込処理装置１００が備える処理機能、特に制御部１０２にて行われる各処理機能については、その全部又は任意の一部を、ＣＰＵ及び当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて消込処理装置１００に機械的に読み取られる。すなわち、ＲＯＭ又はＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。  
【００６９】
また、このコンピュータプログラムは、消込処理装置１００に対して任意のネットワークを介して接続されたアプリケーションプログラムサーバに記憶されていてもよく、必要に応じてその全部又は一部をダウンロードすることも可能である。  
【００７０】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、及び、Ｂｌｕ−ｒａｙ（登録商標）  Ｄｉｓｃ等の任意の「可搬用の物理媒体」を含むものとする。  
【００７１】
また、「プログラム」とは、任意の言語又は記述方法にて記述されたデータ処理方法であり、ソースコード又はバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成及び読み取り手順ならびに読み取り後のインストール手順等については、周知の構成や手順を用いることができる。  
【００７２】
記憶部１０６に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。  
【００７３】
また、消込処理装置１００は、既知のパーソナルコンピュータ又はワークステーション等の情報処理装置として構成してもよく、また、任意の周辺装置が接続された当該情報処理装置として構成してもよい。また、消込処理装置１００は、当該装置に本実施の形態で説明した処理を実現させるソフトウェア（プログラム又はデータ等を含む）を実装することにより実現してもよい。  
【００７４】
更に、装置の分散・統合の具体的形態は図示するものに限られず、その全部又は一部を、各種の付加等に応じて又は機能負荷に応じて、任意の単位で機能的又は物理的に分散・統合して構成することができる。すなわち、上述した実施形態を任意に組み合わせて実施してもよく、実施形態を選択的に実施してもよい。  
【符号の説明】
【００７５】
１００  消込処理装置
１０２  制御部
１０２ａ  抽出部
１０２ｂ  部分一致抽出部
１０２ｃ  選択部
１０２ｄ  消込処理部
１０４  通信インターフェース部
１０６  記憶部
１０６ａ  売上データファイル
１０６ｂ  入金データファイル
１０６ｃ  消込データファイル
１０８  入出力インターフェース部
１１２  入力装置
１１４  出力装置
２００  サーバ
３００  ネットワーク  
【図１】
2018169904.tif 000003
【図２】
2018169904.tif 000004
【図３】
2018169904.tif 000005
【図４】
2018169904.tif 000006
【図５】
2018169904.tif 000007
【図６】
2018169904.tif 000008
【図７】
2018169904.tif 000009
【図８】
2018169904.tif 000010
【図９】
2018169904.tif 000011
【図１０】
2018169904.tif 000012
【図１１】
2018169904.tif 000013
【図１２】
2018169904.tif 000014